(57)【要約】      （修正有）【課題】ハンガー掛に吊り下げられたハンガーに掛けられた大量の衣服でも、その衣服のサイズや製造元等の情報を容易にかつ素早く識別できる商品識別表示具を提供する。【解決手段】本考案にかかる商品識別表示具１は、上辺が、中央部が高く左右傾斜部２０ａ、２０ｂをなす山型に形成され、上辺端の左右の側辺が垂直な垂直部２１ａ、２１ｂを形成する板状の基板２と、基板２の上辺の山型の頂部付近に備えられるフック部３と、基板２上辺の左右傾斜部２０ａ、２０ｂ及び両側辺の垂直部２１ａ、２１ｂ、又は左右いずれかの傾斜部２０ａ、２０ｂ及び垂直部２１ａ、２１ｂに装着される表示板４、４０ａ、４０ｂ、４１ａとで構成される。【選択図】図１
0003217471.tif 000002
【実用新案登録請求の範囲】
【請求項１】
ハンガー掛に吊り下げられた衣服のサイズや製造元等の情報を表示して識別するための商品識別表示具であって、
上辺が、中央部が高く左右傾斜部をなす山型に形成され、上辺端の左右の側辺が垂直な垂直部を形成する板状の基板と、
前記基板の上辺の山型の頂部付近に備えられるフック部と、
前記基板上辺の左右傾斜部及び両側辺の垂直部、又は左右いずれかの傾斜部及び垂直部に装着される表示板とからなることを特徴とする商品識別表示具。
【請求項２】
前記基板の傾斜部及び垂直部に、前記表示板を装着するための係止片を折り曲げ可能に一体として形成されてなることを特徴とする請求項１に記載の商品識別表示具。
【請求項３】
前記表示板が、前記基板に着脱可能にしてなることを特徴とする請求項１又は２に記載の商品識別表示具。
【考案の詳細な説明】
【技術分野】
【０００１】
本考案は、ハンガー掛に吊り下げられた衣服のサイズや製造元等の情報を表示して識別するための商品識別表示具に関する。
【背景技術】
【０００２】
衣服店等では、衣服の陳列に際し、衣服をハンガーに掛けて、ハンガーラックなどに吊下げて陳列している。また、卸業者から衣服が移送される際にも、移動式の吊台に吊下げられた状態で運ばれる。
このようにハンガーラックや吊台などのハンガー掛に吊下げられた衣服のサイズ、形状、製造元のブランド等の情報は、衣服自体に縫い付けられたタグに表示されていたり、ハンガーのフック部や衣服自体に情報が表示されたシールが貼着されていたりする。
衣服のサイズについては、ハンガーのフック部にサイズの数字やＳ、Ｍ、Ｌ等の英文字が表示された環状の表示片が嵌挿されて確認ができるようになっている場合もある。
【０００３】
しかし、衣服の情報の確認のために、一枚ずつタグやシールを確認する作業は煩雑であり、かつ陳列場所が変わる度に確認する必要があり、非効率極まりない。
また、ハンガーのフック部や衣服自体に情報が表示されたシールが貼着されている場合にも、それぞれハンガー掛からハンガーを取り出して確認する必要がある。
一方、ハンガーのフック部に嵌挿された表示片は、取り外しにくい上、ハンガーのフック部の径が様々であることから、それらすべてに対応できるよう準備をしておく必要があり、管理が大変で費用も嵩むという問題がある。
さらに、環状に形成される表示片は表示面が曲面であることが多く、些細な接触で回転して表示部が裏側になってしまって見にくい。
【０００４】
このような問題に対応すべく、様々なハンガー用の表示具が開示されている。
例えば、実用新案登録第３０７８３６０号公報には、「衣服用ハンガーの表示片」として、「軸方向に開口した軸体挿入口が側面の一部に形成された柱状の表示片であって、衣服のサイズを表示する表示部と、滑り止めの凸部とが外面に設けられ、ハンガーの軸体が挿入される軸体保持孔が、前記軸体挿入口と連通するように形成され、前記軸体保持孔と前記軸体挿入口との境界部分に、ハンガーの軸体の抜け止めを行う係止突起が形成されていることを特徴とする衣服用ハンガーの表示片。」が開示されている。
この衣服用ハンガーの表示片によれば、係止突起が設けられているので、安定して保持され、衣服のサイズを表示片の外面の表示部で表示することができ、また、滑り止めの凸部が設けられているので、着脱の際に手が滑ることがなく取外しが容易なものであるとされている。
さらに、表示片の表示面が軸体に対して動かないようにできるので、衣服のサイズが見やすく、他の軸体形状のハンガーにも取付けることができて経済的なものとなっている。
【先行技術文献】
【特許文献】
【０００５】
【特許文献１】実用新案登録第３０７８３６０号公報
【考案の概要】
【考案が解決しようとする課題】
【０００６】
上記特許文献１に記載された衣服用ハンガーの表示片などは、ハンガーのフック部に取り付けるものであり、表示される文字の大きさには制限があり、概して小さな文字となるため、フック部に近づかないと情報は確認できない。
また、大量に衣服を取り扱う製造元や、複数の店舗に様々な種類の衣服を卸す業者などのバックヤードには、山のように衣服が保管されており、天井付近の高い位置から壁一面にハンガーに掛けられた衣服が吊り下げられていたり、いくつものハンガー掛が所狭しと並べて配置されていたりして、そのような状況で、それぞれのハンガーのフック部に表示された情報を確認しながら特定の衣服を探すことは至難の業であり、無駄に時間もかかる重労働となっている。
本考案は、上記問題点に鑑み、ハンガーに掛けられ、ハンガー掛に吊り下げられた大量の衣服でも、その情報を容易にかつ素早く確認でき、煩わしい取り外しが不要で、保管や、移送の際にも嵩張ることのない商品識別表示具を提供することを目的とする。
【課題を解決するための手段】
【０００７】
本考案者は上記課題を下記の手段により解決した。
（１）ハンガー掛に吊り下げられた衣服のサイズや製造元等の情報を表示して識別するための商品識別表示具であって、上辺が、中央部が高く左右傾斜部をなす山型に形成され、上辺端の左右の側辺が垂直な垂直部を形成する板状の基板と、前記基板の上辺の山型の頂部付近に備えられるフック部と、前記基板上辺の左右傾斜部及び両側辺の垂直部、又は左右いずれかの傾斜部及び垂直部に装着される表示板とからなることを特徴とする商品識別表示具。
（２）前記基板の傾斜部及び垂直部に、前記表示板を装着するための係止片を折り曲げ可能に一体として形成されてなることを特徴とする前記（１）に記載の商品識別表示具。
（３）前記表示板が、前記基板に着脱可能にしてなることを特徴とする前記（１）又は（２）に記載の商品識別表示具。
【考案の効果】
【０００８】
本考案の商品識別表示具によって、下記の効果が発揮される。
〈１〉本考案にかかる商品識別表示具は、上辺が、中央部が高く左右傾斜部をなす山型に形成され、上辺端の左右の側辺が垂直な垂直部を形成する板状の基板と、前記基板の上辺の山型の頂部付近に備えられるフック部と、前記基板上辺の左右傾斜部及び両側辺の垂直部、又は左右いずれかの傾斜部及び垂直部に装着される表示板とからなるので、
傾斜部及び垂直部に装着された表示板に衣服の情報を表示することができ、傾斜部側に表示された情報は上方から見やすく、垂直部側に表示された情報は横からや下から見やすく、衣服を容易に識別することができる。
また、表示板の領域が広いので、大きな文字で表示することもでき、たくさんの情報を表示することもできる。
さらに衣服の情報を書いた付箋のような紙や、ラベルを表示板に貼着して表示することができるので、頻繁に衣服が変更される場合にも、貼着した紙やラベルを剥がして新しい情報が書かれたものを貼着すればよく、衣服やハンガーの種類に制約されることなく、あらゆる衣服について使用することができる。
そして、商品識別表示具のフック部を中心として左右の両方にも、あるいは左右のいずれにのみでも表示板を装着して使用できるので、ハンガー掛が置いてある場所に合わせて適宜調整すればよく、場所の制約もうけない。
〈２〉本考案にかかる商品識別表示具は、基板の傾斜部及び垂直部に、前記表示板を装着するための係止片を折り曲げ可能に一体として形成されているので、使用しない時には、平らにして保管が可能であり、大きな収納スペースを必要としない。
また、係止片に表示板を装着する構成なので、表示板が撚れることなくしっかり装着でき、大量の衣服の間に紛れても変形、脱落等することなく情報を安定して表示できる。
〈３〉また、表示板を前記基板に着脱可能にしてなるので、情報の表示が不要の場合には、表示板を外しておけばよく、また、表示板が破損したり汚れた場合には容易に取り替えることができる。さらに、表示板の幅を広いものや狭いもの、色彩を施したものなど、衣服の情報を表示するのに適した形態に変更することができ、衣服の識別に必要とされる様々な要望に応えることができる。
【図面の簡単な説明】
【０００９】
【図１】本考案の商品識別表示具の実施例の斜視図
【図２】本考案の商品識別表示具の実施例の説明用図面
【図３】本考案の商品識別表示具の使用例の説明図
【図４】本考案の商品識別表示具の使用している状態の説明図
【考案を実施するための形態】
【００１０】
本考案の商品識別表示具について、実施例を図に基づいて説明する。
図１は、本考案の商品識別表示具の実施例の斜視図、図２は本考案の商品識別表示具の実施例の説明用図面、図３は本考案の商品識別表示具の使用例の説明図、図４は本考案の商品識別表示具を使用している状態の説明図である。
図中、１は商品識別表示具、２は基板、３はフック部、４、４０ａ、４０ｂは表示板、５は係止片、６は着脱手段、７はハンガー掛、８はハンガー、９は衣服、１０はラベルである。また、２０ａ、２０ｂは傾斜部、２１ａ、２１ｂは垂直部、５０ａは傾斜部の係止片、５１ａは垂直部の係止片である。
【００１１】
本考案にかかる商品識別表示具１は、ハンガー掛に吊り下げられた衣服のサイズや製造元等の情報を表示して識別するための商品識別表示具であり、ハンガー掛に吊り下げられた衣服の間に位置するように、ハンガー掛に掛けて使用するものである。本実施例において、商品として衣服を例として説明するが衣服に限らず、吊り下げて保管、陳列する商品全般に使用することができるものである。
【００１２】
本考案にかかる商品識別表示具１は、図１の本考案の商品識別表示具の実施例の斜視図に示すように、上辺が、中央部が高く左右傾斜部（２０ａ、２０ｂ）をなす山型に形成され、上辺端の左右の側辺が垂直な垂直部（２１ａ、２１ｂ）を形成する板状の基板２と、前記基板２の上辺の山型の頂部付近に備えられるフック部３と、前記基板上辺の左右傾斜部（２０ａ、２０ｂ）及び両側辺の垂直部（２１ａ、２１ｂ）、又は左右いずれかの傾斜部（２０ａ、２０ｂ）及び垂直部（２１ａ、２１ｂ）に装着される表示板４とで構成される。
前記基板２の上辺に形成される中央部が高く左右傾斜部（２０ａ、２０ｂ）をなす山型は、略ハンガー形状であり、左右傾斜部（２０ａ、２０ｂ）は、一般的なハンガーの肩部と同程度の傾斜で形成される。
これは、本考案にかかる商品識別表示具１を、ハンガー掛（７）に掛けて使用するにあたり、ハンガー掛（７）に掛かっている衣服の肩部の傾斜と同程度の傾斜とすることで、表示板４０ａが衣服に紛れて見えなくなることを防止し、周囲の衣服の肩部の位置で表示板４０ａがしっかり表示されるようにするための構成である。
また、表示板４０ａが傾斜していることで、上方からの視認が容易となり表示を確認しやすくするためでもある。
一方、本考案にかかる商品識別表示具１は、基板２の上辺端の左右の側辺を垂直に構成している。この左右の垂直部（２１ａ、２１ｂ）は、表示板４１ａを垂下するベースとなる部分であり、表示板４１ａを垂直に垂下することにより、横方向からの視認が容易となるとともに、ハンガー掛（７）に掛かっている衣服の袖部で紛れて見えなくなることを防止し、袖部の垂れ下がり方向と同じ方向に表示板４１ａがしっかり表示されるようになっている。
なお、傾斜部（２０ａ、２０ｂ）の長さは特に限定されないが、衣服の肩の長さより若干長めに形成すると、ハンガー掛（７）に掛けた際に、衣服の肩先に表示板４が位置するので、より識別しやすいものとなる。
【００１３】
本考案にかかる商品識別表示具１を構成する基板２は、ハンガーに掛けられた衣服の間に配置されるものであり、また、傾斜部（２０ａ、２０ｂ）と垂直部（２１ａ、２１ｂ）に表示板４０ａを装着することから、それら使用に耐えうる程度の強度、耐久性を備えた素材で構成される。例えば、厚紙や、表面にエンボス加工が施された紙、あるいはやＰＰ（ポリプロピレン）、ＰＥＴ（ポリエチレンテレフタラート）、ＰＶＣ（ポリ塩化ビニル）等のプラスチックなどが軽量でかつ安価であることから好適である。
また、基板２に直接商品の情報を書き込んだり、商品の情報を書いた紙を貼着可能に貼り付けることもできるので、その場合には、薄いスチール板やアルミ板などの金属板を採用することもできる。
【００１４】
本考案にかかる商品識別表示具１は、基板２の上辺の山型の頂部付近にフック部３が備えられる。本考案において「フック部」は、商品識別表示具１をハンガー掛（７）に掛ける、あるいは吊下げるためのものであり、フック部３の形状は特に限定されない。
実施例においては、基板２と一体に板体でフック部３を形成しているが、基板２とは異なる材料のフック部３を基板２に取り付けるものであってもよい。例えば、一般にハンガーに使用される金属製のフックに基板２を取り付ける構成とすることもできる。
また、継続的に使用する場合などハンガー掛から取り外す頻度が低く外れにくくしたい場合には、フック部３をクリップ形状としてハンガー掛に装着してもよい。すなわち、本考案において「フック部」は基板２をハンガー掛（７）に掛けられた衣服と衣服の間に配置することができるものであればよい。
【００１５】
そして、商品識別表示具１には、上辺に形成される傾斜部（２０ａ、２０ｂ）と、側辺の垂直部（２１ａ、２１ｂ）に、表示板４が装着される。
図１（ａ）に示す実施例では、表示板４は、上辺に形成される右の傾斜部２０ａと、右側辺２１ａに表示板４が装着されている。また図１（ｂ）に示す実施例では、右の傾斜部２０ａだけでなく、左の傾斜部２０ｂと、左の側辺２１ｂにも、表示板４が装着されている。ハンガー掛（７）の使用状態によって、壁面に沿ってハンガー掛（７）が配置されているような場合には、左右の一方だけ表示板４を装着してあればよく、店舗のフロアなどにハンガー掛（７）を配置して衣服を陳列しているような場合には、左右の両方に表示板４を装着して使用するというような使い分けが可能となっている。
前記表示板４は、衣服の情報を表示する部分であり、表示板４に直接書き込んだり、印刷して表示してもよく、あるいは、別に衣服の情報が記載された付箋紙やラベル等を貼着するベースとして使うこともできる。したがって、表示板４は、このような扱いに耐えうる材質で構成されていればよく、基板２と同様に紙や、表面にエンボス加工が施された紙、あるいはＰＰ（ポリプロピレン）、ＰＥＴ（ポリエチレンテレフタラート）、ＰＶＣ（ポリ塩化ビニル）等のプラスチックなどが軽量でかつ安価であることから好適である。
なお、基板２と表示板４は着脱可能の場合には、基板２の材質と、表示板４の材質は同じものでなく別の材質であってもよい。また、基板２と表示板４は必ずしも着脱可能でなくてもよく、例えば、樹脂を材料に射出成形で一体に形成してもよい。
【００１６】
基板２と表示板４を着脱可能とした場合に、傾斜部２０ａに装着される表示板４０ａと、垂直部２１ａに装着される表示板４０ｂは、それぞれ装着することも可能であるが、使いやすさや耐久性等を考慮して、傾斜部２０ａに装着される表示板４０ａと垂直部２１ａに装着される表示板４０ｂを一体に長尺な部材で構成して、装着することが好ましい。
また、表示板４０ｂは、基板２の垂直部２１ａの長さと同程度の長さとすることもでき、表示面を多くし、目立つようにするために、前記垂直部２１の長さより長くして垂下するように装着することもできる。
前記表示板４は、衣服の情報を表示するに適した幅をもって構成される。たくさんの情報を大きく表示したいというような場合には、表示板４を幅広に構成することもできる。
基板２と表示板４が着脱可能な場合には、使用する状況によって、表示板４の幅や長さを随時変更して最適の形状の表示板４を使う。
【００１７】
図２は、本考案の商品識別表示具の実施例の説明用図面であり、基板２に表示板４を装着する例を示している。
基板２には、あらかじめ傾斜部２０ａと垂直部２１ａに、表示板４を装着するための係止片５０ａ、５１ａを備え一体に形成されている（図２（ａ））。
係止片５０ａ、５１ａは、傾斜部２０ａと垂直部２１ａの位置で折り曲げ可能となっており、前記係止片５０ａ及び５１ａを、基板２に対し垂直に折り曲げる（図２（ｂ））。
そして、前記折り曲げた係止片５０ａに表示板４の上部４０ａが、係止片５１ａに表示板４の４１ａが当接するように、表示板４を装着する（図２（ｃ））。
なお、本実施例においては、係止片５０ａ及び５１ａに、表示板４を着脱自在とする着脱手段６が備えられている。着脱手段６としては、面ファスナーやスナップボタン、剥離可能な粘着フィルムなどが挙げられるが、係止片５０ａ、５１ａに表示板４をしっかり装着することができる手段であれば、特に限定されない。
また、商品識別表示具１を使用しない時は、表示板４を取り外し、折り曲げた係止片５０ａ及び５１ａを元に戻せば平らな板体となる。したがって、余計なスペースを必要とせず、保管がしやすく、また移送の際にも嵩張ることがない。
【００１８】
図３は、本考案の商品識別表示具の使用例の説明図であり、商品識別表示具１が、ハンガー掛７に掛けられている。図においては、説明用に衣服が掛けられていないハンガー８を図示している。
図に示すように、本考案にかかる商品識別表示具１は、複数のハンガー８（ａ，ｂ，ｃ，ｄ）が掛けられるハンガー掛７に、フック部３により複数のハンガー８の間に掛けて使用される。ハンガー８（ａ，ｂ，ｃ，ｄ）には、それぞれ衣服が掛けられる。
商品識別表示具１は、基板２の上辺の右側傾斜部２０ａと右側辺の垂直部２１ａに表示板４が装着され、表示板４０ａ及び４１ａに、「ａｂｃ  ９」と表示された剥離可能なラベル（１０ａ、１０ｂ）が貼着されている。また、基板２の中央にも、同様に「ａｂｃ  ９」と表示された剥離可能なラベル１０ｃが貼着されている。
この場合には、ハンガー８ｃとハンガー８ｄには、ブランド名「ａｂｃ」のサイズ９号の衣服が掛けられることとなる。
表示板４は、上記のように剥離可能なラベル等を貼着して衣服の情報を表示する他、表示板４自体に衣服の情報を印刷して使用することもできる。例えば、図３において表示板４１ａの下方には、ブランド名「ａｂｃ」が印刷されている。
さらには、ブランドごと、あるいはサイズ毎に、表示板４に色彩を施せば、文字や数字での識別の他、色によっても識別できる。
【００１９】
図４は、本考案の商品識別表示具を使用している状態の説明図であり、衣服９が掛けられた多数のハンガー８が、ハンガー掛７に吊下がっている。
そして、前記多数のハンガー８の間に、商品識別表示具１がフック部３により掛けられている。図においては、長袖シャツと半袖シャツ、半袖シャツとジャケットとに仕分けられた部分に商品識別表示具１が配置されている。このように衣服の形状、製造元、ブランド名、サイズ等によって衣服を仕分けてハンガー掛７に掛けられている場合に、本考案の商品識別表示具１を配置することで、衣服を識別するのが容易となり、一つずつハンガーを外して情報を確認するというような手間が掛からなくなる。
また、本考案にかかる商品識別表示具１は、板状の基板２で、その基板２の上辺が、中央部が高く左右傾斜部（２０ａ、２０ｂ）をなす山型の略ハンガー形状で構成されていることから、ハンガー掛７のハンガー８を掛けるスペースを侵食することなく配置される。
さらに表示板４は、基板２の傾斜部２０ａと垂直部２１ａに、該基板２に対し垂直方向に装着されているので、傾斜部２０ａに装着される表示板４０ａに表示されるラベル１０ｂは上方から見やすく、垂直部２１ａに装着される表示板４１ａに表示されるラベル１０ａは横方向や遠くから見やすく、いちいち近寄って、ハンガーのフック部や衣服の裏のタグ等を確認する等の煩雑な作業をすることなく、簡単に衣服の識別ができるものとなっている。
また、商品識別表示具１のフック部３や基板２にも、ラベル１０ｃ、１０ｄを貼着して、さらに識別しやくすることもできる。
【００２０】
なお、上記実施例において、ハンガー８に掛けた衣服９を識別する場合で説明したが、上記実施例の構成に限定されるものではなく、本考案の要旨の範囲内で種々の変形が可能であることは言うまでもない。本考案にかかる商品識別表示具１は、フック等の吊下部材で吊り下げて陳列される商品、例えばマット類、靴、鞄等を識別するための表示具としても利用可能である。
【符号の説明】
【００２１】
１    商品識別表示具
２    基板
２０ａ、２０ｂ  傾斜部
２１ａ、２１ｂ  垂直部
３    フック部
４、４０ａ、４０ｂ  表示板
５    係止片
５０ａ  傾斜部の係止片
５１ａ  垂直部の係止片
６    着脱手段
７    ハンガー掛
８    ハンガー
９    衣服
１０  ラベル
【図１】
0003217471.tif 000003
【図２】
0003217471.tif 000004
【図３】
0003217471.tif 000005
【図４】
0003217471.tif 000006